(57)【要約】運搬や建設が簡単に行えて、自然に親しむための居住空間を形成することができるものを提供するために、正六角形の複数の第１パネル１０と、この第１パネル１０の各辺と同じ長さの辺を有する正五角形の複数の第２パネル２０とを組み合わせて、内部に居住空間を備えたサッカーボール型部屋構造物１００であって、第１パネル１０の裏面にこれと同じ外形を有した第１取付枠１１を固定して、この第１取付枠１１の第１パネル側端面１１ａを、当該第１取付枠１１上の第１パネル１０上面に対して約６９°とするとともに、この第１取付枠１１の第２パネル側端面１１ｂを、当該第１取付枠１１上の第１パネル１０上面に対して約７２°とし、第２パネル２０の裏面にこれと同じ外形を有した第２取付枠２１を固定して、この第２取付枠２１の各端面２１ａを、当該第２取付枠２０上の第２パネル２１上面に対して約７２°としたことである。
2005026461.tif 000002
【特許請求の範囲】
【請求項１】
正六角形の複数の第１パネル（１０）と、この第１パネル（１０）の各辺と同じ長さの辺を有する正五角形の複数の第２パネル（２０）とを組み合わせて、内部に居住空間を備えたサッカーボール型部屋構造物（１００）であって、
第１パネル（１０）の裏面にこれと同じ外形を有した第１取付枠（１１）を固定して、この第１取付枠（１１）の第１パネル側端面（１１ａ）を、当該第１取付枠（１１）上の第１パネル（１０）上面に対して約６９°とするとともに、この第１取付枠（１１）の第２パネル側端面（１１ｂ）を、当該第１取付枠（１１）上の第１パネル（１０）上面に対して約７２°とし、
第２パネル（２０）の裏面にこれと同じ外形を有した第２取付枠（２１）を固定して、この第２取付枠（２１）の各端面（２１ａ）を、当該第２取付枠（２０）上の第２パネル（２１）上面に対して約７２°としたことを特徴とするサッカーボール型部屋構造物（１００）。
【請求項２】
正六角形の複数の第１パネル（１０）と、この第１パネル（１０）の各辺と同じ長さの辺を有する正五角形の複数の第２パネル（２０）とを組み合わせて、内部に居住空間を備えたサッカーボール型部屋構造物（１００）であって、
複数の同じ長さのアングル材を両端にて互いに連結して、複数の取付開口（３１）を有するサッカーボール型の支持枠（３０）を形成し、この支持枠（３０）の各取付開口（３１）に、第１パネル（１０）及び第２パネル（２０）を取り付けて構成したサッカーボール型部屋構造物（１００）。
【発明の詳細な説明】
【技術分野】  本発明は、内部に居住空間を有するサッカーボール型の部屋を構成する構造物に関し、建設や運搬が簡単で、単独で種々な用に使用されるサッカーボール型部屋構造物に関するものである。
【背景技術】  近年、アウトドアライフ等を通じて自然に親しむことが、盛んになされている。この自然に親しむこと自体は、地球環境のことを考える上で非常に有効ではあるが、自然環境に負担を掛けるような親しみ方では意味がない。また、あくまでも「楽しみながら」自然に親しむことが重要であり、自然からの猛威を受けるような親しみ方では、これもまた意味がない。
そこで、本発明者は、人を守りながら自然に親しむことができ、しかも運搬や建設にそれ程手間の掛からない居住空間を形成するにはどうしたらよいか、について種々検討を重ねてきた結果、「サッカーボール」のあの正六角形と正五角形の組合せ構造が構造物を構成する上で非常に有効であることを知ったのである。
この正六角形と正五角形の組合せ構造を採用した建造物については、例えば、特開２００３−２７５９５号公報（以下、特許文献１という）に提案されている「ドーム式構造物」、あるいは特開２００１−１３２８９３号公報（以下、特許文献２という）に提案されている「球殻構造体形成用構造ユニット及び該構造ユニットを用いた球殻構造体並びにその組立方法」がある。
特許文献１に記載されている「ドーム式構造物」は、第１０図に示すように、
「複数の構造材を相互に接続した三角形のトラス状構造材からなり、側面視において上方に湾曲して構築されたほぼ半球状に構成されてなるドーム式構造物において、前記ドーム式構造物が、複数の正五角形構造体と正六角形構造体が互いに剛結合された主フレーム構造体を備え、この主フレーム構造体が分割されることにより、前記三角形のトラス状構造材が構成されてなることを特徴とするドーム式構造物」
であり、当該文献の段落０００７に記載されているように、「（従来のドーム式構造物が）大重量にならざるを得ないこと、前記アンバランスのために、実際の設計時に構造材の配置、長さ、組合わせ角度等の決め方が煩雑になり、ドーム式構造物の設計・施工が難しく長時間を要していたこと」を解決すべくなされたものである。
そして、この特許文献１に記載されている「ドーム式構造物」によれば、同文献の段落００３２に記載されているように、
「本発明に係るドーム式構造物によれば、従来例に係るドーム式屋根構造の構造材の長さ、および接合点での組合わせ角度よりも、それらのアンバランスが少なく、構造材の強度の差が小さくなるので、長い部材でもそれほど剛性を高くする必要がないため、同規模のドーム式構造物である場合、従来例よりも重量を軽減することが可能になる」
ものと考えられるが、あくまでも「ドーム式構造物」であるから、自然に親しむための居住空間を形成するものではなく、嵐の吹き抜ける場合や水上等の自然環境では使用することができないものである。
一方、特許文献２に記載されている「球殻構造体」は、第１１図に示すように、
「最外側縁の枠組が正六角形形状を有し、枠組全体で平面形状を構成する枠組構造ユニットであって、該枠組構造ユニットは、正六角形形状の最外側縁枠組を構成する６個の辺部の中の隣り合わない３つの辺部を、同一構成の他の枠組構造ユニットと互いに結合するための結合辺とし、各結合辺には他の枠組構造ユニットを結合するための辺結合機構を備え、該辺結合機構は、互いに結合される各枠組構造ユニットを構成する正六角形形状の平面が互いに所定の内角をなすように固定的に結合する機能と、固定的結合を解除し内角を自由に変化しうるように結合する機能とを有していることを特徴とする連結構造体形成用枠組構造ユニット」
であり、当該文献２の段落０００７に記載されているように、「相応の構造強度をもつ簡便な構成の大型構造体を形成することの可能な、簡単で軽量な枠組又は骨格構造ユニットを提供することを目的とする」である。
そして、この特許文献２の技術によれば、当該文献の段落００３８に記載されているような、
「簡便に組み立てることができ、また容易に折り畳み収納できる大型の連結構造体を容易に形成することが可能な、軽量な構成の枠組構造ユニット又は骨格構造ユニットを実現することができる」
ものと考えられるが、あくまでも第１１図に示すような枠組構造ユニットであるから、自然に親しむための居住空間を形成するものではなく、嵐の吹き抜ける場合や水上等の自然環境では使用することができないものである。
以上の点を踏まえて、本発明者が、人を守りながら自然に親しむことができ、しかも運搬や建設にそれ程手間の掛からない居住空間を形成するにはどうしたらよいか、について種々検討を重ねてきた結果、本発明を完成したのである。
すなわち、本発明の目的とするところは、運搬や建設が簡単に行えて、自然に親しむための居住空間を形成することができ、嵐の吹き抜ける場合や水上等の自然環境でも使用することのできるサッカーボール型部屋構造物を簡単な構成によって提供することにある。
【発明の開示】
以上の目的を達成するために、まず、請求項１に係る発明の採った手段は、後述する最良形態の説明中において使用する符号を付して説明すると、
「正六角形の複数の第１パネル１０と、この第１パネル１０の各辺と同じ長さの辺を有する正五角形の複数の第２パネル２０とを組み合わせて、内部に居住空間を備えたサッカーボール型部屋構造物１００であって、
第１パネル１０の裏面にこれと同じ外形を有した第１取付枠１１を固定して、この第１取付枠１１の第１パネル側端面１１ａを、当該第１取付枠１１上の第１パネル１０上面に対して約６９°とするとともに、この第１取付枠１１の第２パネル側端面１１ｂを、当該第１取付枠１１上の第１パネル１０上面に対して約７２°とし、
第２パネル２０の裏面にこれと同じ外形を有した第２取付枠２１を固定して、この第２取付枠２１の各端面２１ａを、当該第２取付枠２０上の第２パネル２１上面に対して約７２°としたことを特徴とするサッカーボール型部屋構造物１００」
である。
すなわち、この請求項１に係るサッカーボール型部屋構造物１００は、第５図の（Ａ）に示すように、正六角形の第１パネル１０を第１取付枠１１の表面側に一体化するとともに、第５図の（Ｂ）に示すように、正五角形の第２パネル２０を第２支持枠２１の表面側に一体化しておいて、これらの第１パネル１０及び第２パネル２０を、第６図または第７図に示すように互いに連結することにより、第１図〜第３図に示すようなものとしたものである。
勿論、このサッカーボール型部屋構造物１００は、その外形がサッカーボール型となるものであるから、第５図に示した第１パネル１０及び第２パネル２０は、第８図に示した連結方法が基本となっている。つまり、第８図の上方にて横に２枚並んだ第１パネル１０、あるいは第８図の下側で縦に２枚並んだ第１パネル１０のように、正六角形の第１パネル１０は必ず２枚連続し、これらの２枚の第１パネル１０に１枚の第２パネル２０が来る配列が採用され、第２パネル２０は合計１２枚、第１パネル１０は合計２０枚が使用されるのである。その結果、このサッカーボール型部屋構造物１００は、３２面体となるのである。
このサッカーボール型部屋構造物１００は、サッカーボールのように柔らかい材料によって形成するものではないから、各第１パネル１０及び第２パネル２０をそれぞれ支持している第１取付枠１１及び第２支持枠２１の各端面は、第６図及び第７図に示すように傾斜面としておかなければならない。具体的には、上記したように、第１取付枠１１については、その第１パネル側端面１１ａを、当該第１取付枠１１上の第１パネル１０上面に対して約６９°とし、第２パネル側端面１１ｂを、当該第１取付枠１１上の第１パネル１０上面に対して約７２°としてある。また、第２取付枠２１については、その各端面２１ａを、当該第２取付枠２０上の第２パネル２１上面に対して約７２°としてあるのである。
各第１パネル１０及び第２パネル２０は、その平面形状は異なるものの、全て平面的なものであるから保管や運搬は簡単に行える。また、各第１パネル１０及び第２パネル２０は、第８図に示した連結上の基本を守りながら各第１取付枠１１同士、あるいはこの第１取付枠１１と第２支持枠２１との連結を、第６図あるいは第７図に示したように行えば、自然と第１図〜第３図に示したサッカーボール型部屋構造物１００が完成でき、その組立は簡単である。なお、これらのサッカーボール型部屋構造物１００は、中に居住空間を有して人が入るものであるから、第１図等に示したドア５１、窓５２、吸気口５４、あるいは排気口５５を、あるいは第３図に示した水中覗窓５３を、第１パネル１０または第２パネル２０に設けておくものであり、組立の際には、これらのドア５１等の位置を確認しながら行うことは言うまでもない。
第１図に示したサッカーボール型部屋構造物１００は、キャンプ地のロッジに代えて使用するタイプを示し、土台枠６０上に組み立てたものであり、ドア５１や窓５２を中央部分に設けたものである。このこの場合には、当該サッカーボール型部屋構造物１００をついばり６２やロープ等で固定するとよく、また、高い位置のドア５１に対しては梯子６１を掛けるようにするとよい。勿論、窓５２をサッカーボール型部屋構造物１００の上方部分に形成するようにすれば、天体観測の窓として有効に利用できる。
第２図に示したサッカーボール型部屋構造物１００も、野外の部屋として使用するタイプものであり、第１図のサッカーボール型部屋構造物１００のような梯子６１を使用しないでも済むように、半地下形式のものとしたものである。第３図に示したサッカーボール型部屋構造物１００は、水面に浮かせて使用するタイプのもので、その下方部分には、水中覗窓５３を形成するようにしたものである。
上記いずれのタイプのサッカーボール型部屋構造物１００も、内部に居住空間が形成され、この居住空間は、第１パネル１０及び第２パネル２０によって完全に保護された状態となるから、厳しい太陽光や嵐を遮ることができるのであり、第１０図に示したドームや第１１図に示した球殻とは全く異なった機能を備えたものなのである。また、各サッカーボール型部屋構造物１００は、第１パネル１０また第２パネル２０にドア５１や水中覗窓５３をそれぞれ個別に取り付けておけば、これらドア５１や水中覗窓５３の取付場所を自由に設定することができて、使用目的あるいは好みに応じたタイプのものに簡単に改造できるのである。さらに、このサッカーボール型部屋構造物１００は、自然環境内にただ存在するというものであり、排気ガスや生活排水を排出するというものではないから、自然環境に負担を掛けることは殆どないものである。
従って、この請求項１に係るサッカーボール型部屋構造物１００は、自然環境に負担を掛けることがなく、運搬や建設が簡単に行えて、自然に親しむための居住空間を形成することができ、嵐の吹き抜ける場合や水上等の自然環境でも使用することができるものとなっているのである。
さて、請求項２に係る発明の採った手段は、同様に、
「正六角形の複数の第１パネル１０と、この第１パネル１０の各辺と同じ長さの辺を有する正五角形の複数の第２パネル２０とを組み合わせて、内部に居住空間を備えたサッカーボール型部屋構造物１００であって、
複数の同じ長さのアングル材を両端にて互いに連結して、複数の取付開口３１を有するサッカーボール型の支持枠３０を形成し、この支持枠３０の各取付開口３１に、第１パネル１０及び第２パネル２０を取り付けて構成したサッカーボール型部屋構造物１００」
である。
すなわち、この請求項２のサッカーボール型部屋構造物１００は、第９図に示すように、まず、複数の同じ長さのアングル材を両端にて互いに連結して、複数の取付開口３１を有するサッカーボール型の支持枠３０を形成したものである。
この支持枠３０は、工場等で予め形成しておくもので、第１パネル１０や第２パネル２０を設置現場で取り付けるようにすれば、軽量となって簡単に運搬できるものである。その意味では、この支持枠３０だけだと、第１１図に示した球殻と同様である。
そして、この支持枠３０に対しては、設置現場等において、その各取付開口３１に、第５図に示したような第１パネル１０及び第２パネル２０を、第９図中の矢印にて示したように、取り付けることにより、サッカーボール型部屋構造物１００として完成するのである。この支持枠３０を採用したサッカーボール型部屋構造物１００であっても、第１図〜第３図に示した種々な使用形態が可能である。
従って、この請求項２に係るサッカーボール型部屋構造物１００も、自然環境に負担を掛けることはなく、運搬や建設が簡単に行えて、自然に親しむための居住空間を形成することができ、嵐の吹き抜ける場合や水上等の自然環境でも使用することができるものとなっているのである。
【図面の簡単な説明】  第１図は、地上設置型のサッカーボール型部屋構造物１００の正面図であり、第２図は、半地下設置型のサッカーボール型部屋構造物１００の正面図であり、第３図は、水上使用型のサッカーボール型部屋構造物１００の正面図であり、第４図は、第１図の１−１線に沿ってみた横断端面図であり、第５図は、正六角形の第１パネル１０（Ａ）及び正五角形の第２パネル２０（Ｂ）をそれぞれ示す斜視図であり、第６図は、２枚の第１パネル１０を各第１取付枠１１を介して取り付けたときの部分拡大断面図であり、第７図は、第１パネル１０と第２パネル２０とを各第１取付枠１１及び第２支持枠２１を介して取り付けたときの部分拡大断面図であり、第８図は、第１パネル１０と第２パネル２０との連結基本パターンを示す平面図であり、第９図は、支持枠３０を使用したサッカーボール型部屋構造物１００の正面図であり、第１０図は、従来の技術を示す平面図であり、第１１図は、別の従来例を示す正面図である。
【符号の説明】
１００    サッカーボール型部屋構造物
１０    第１パネル
１１    第１取付枠
１１ａ  第１パネル側端面
１１ｂ  第２パネル側端面
２０    第２パネル
２１    第２取付枠
２１ａ  端面
３０    支持枠
３１    取付開口
４０    シール材
４１    ボルト
５１    ドア
５２    窓
５３    水中覗窓
５４    給気口
５５    排気口
６０    土台
６１    梯子
６２    ついばり
【発明を実施するための最良の形態】  次に、発明を実施するための最良の形態を、第１図〜第８図に示した実施例１と、第９図に示した実施例２に分けて説明する。
【実施例１】  第１図には地上設置型のサッカーボール型部屋構造物１００の正面図が、第２図には半地下型のサッカーボール型部屋構造物１００の正面図が、そして第３図には水上で使用するサッカーボール型部屋構造物１００の正面図がそれぞれ示してあり、これらのサッカーボール型部屋構造物１００は、正六角形の複数の第１パネル１０と、この第１パネル１０の各辺と同じ長さの辺を有する正五角形の複数の第２パネル２０とを組み合わせて、内部に居住空間を備えたものである。
第１パネル１０は、第５図の（Ａ）に示したように、その裏面にこれと同じ外形を有した第１取付枠１１を固定したものであり、第２パネル２０は、第５図の（Ｂ）に示したように、その裏面にこれと同じ外形を有した第２取付枠２１を固定したものである。これにより、第１パネル１０及び第２パネル２０は、各第１取付枠１１及び第２支持枠２１によって剛性が確保されたものとなるのであり、各第１取付枠１１及び第２支持枠２１を介して連結することにより、サッカーボール型部屋構造物１００全体の剛性確保がなされるのである。
これらの第１パネル１０及び第２パネル２０を、第１取付枠１１及び第２支持枠２１にそれぞれ固定するにあたっては、第６図及び第７図に示したように、緩衝性を確保し、気密性を保持するために、その間にゴム等の緩衝材料によって形成したシール材４０が介在される。このシール材４０は、後述する第１パネル側端面１１ａ同士間、あるいは、第２パネル側端面１１ｂと端面２１ａとの間にも入れられる。なお、第１取付枠１１及び第２支持枠２１の裏面（第７図では図示下側）に、断熱材を張り巡らすことをしておけば、サッカーボール型部屋構造物１００内に完成された居住空間のための断熱を果たすことができることは言うまでもない。
これらの第１取付枠１１及び第２支持枠２１を互いに連結して、サッカーボール型のものとするには、第１取付枠１１同士あるいは第１取付枠１１と第２支持枠２１との接続面の傾斜は微妙に異なっている。何故なら、第１パネル１０は正六角形であるし、第２パネル２０は正五角形であるからである。
そこで、この最良形態では、まず、第１取付枠１１の第１パネル側端面１１ａを、当該第１取付枠１１上の第１パネル１０上面に対して約６９°とするとともに、この第１取付枠１１の第２パネル側端面１１ｂを、当該第１取付枠１１上の第１パネル１０上面に対して約７２°としてある。一方、第２パネル２０については、その各端面２１ａを、当該第２取付枠２０上の第２パネル２１上面に対して約７２°としてある。
以上のように、第１取付枠１１同士、あるいは、第１取付枠１１と第２支持枠２１とを互いに接続するには、第６図あるいは第７図に示したように、各第１取付枠１１または第２支持枠２１の端部にボルト４１を通してこれにナットを締結することにより、それぞれの連結は完成されるのである。勿論、このボルト４１による連結は、サッカーボール型部屋構造物１００の下側から順に行ってもよいが、上述した第８図の基本形態を守らなければならないのであるから、この第８図に示したような接続を行った部材を複数（６組）用意しておいて、これらの部材を順に連結していってもよい。
また、このサッカーボール型部屋構造物１００は、中に居住空間を有して人が入るものであるから、第１図等に示したドア５１、窓５２、吸気口５４、あるいは排気口５５を、あるいは第３図に示した水中覗窓５３を、第１パネル１０または第２パネル２０に設けておくものである。
第１図に示したサッカーボール型部屋構造物１００は、キャンプ地のロッジに代えて使用するタイプのものであり、土台枠６０上に組み立てて、ドア５１や窓５２を中央部分に設けたものである。このサッカーボール型部屋構造物１００は、ついばり６２やロープ等で土台枠６０上や地面上に固定したものであり、また、高い位置のドア５１に対しては梯子６１を掛けるようにするとよい。勿論、窓５２をサッカーボール型部屋構造物１００の上方部分に形成するようにすれば、天体観測の窓として有効に利用できる。
第２図に示したサッカーボール型部屋構造物１００も、野外の部屋として使用するタイプものであり、第１図のサッカーボール型部屋構造物１００のような梯子６１を使用しないでも済むように、半地下形式のものとしたものである。第３図に示したサッカーボール型部屋構造物１００は、水面に浮かせて使用するタイプのもので、その下方部分には、水中覗窓５３が形成してある。
【実施例２】  第９図には、実施例２に係るサッカーボール型部屋構造物１００が示してあるが、このサッカーボール型部屋構造物１００は、正六角形の複数の第１パネル１０と、この第１パネル１０の各辺と同じ長さの辺を有する正五角形の複数の第２パネル２０とを組み合わせて、内部に居住空間を備えた点は、上記実施例１のサッカーボール型部屋構造物１００と同様であるが、支持枠３０を採用した点で実施例１のそれとは異なっている。
支持枠３０は、複数の同じ長さのアングル材を両端にて互いに連結して、第９図に示したように、複数の取付開口３１を有するサッカーボール型のものとしたものであり、その各取付開口３１には、第１パネル１０及び第２パネル２０が、第９図中の矢印にて示したように、取り付けられるのである。
この実施例２のサッカーボール型部屋構造物１００において使用する第１パネル１０及び第２パネル２０は、上記実施例１で説明したような第１取付枠１１及び第２支持枠２１を有したものでもよいが、支持枠３０自体が十分な剛性を有しているから、単なる第１パネル１０及び第２パネル２０のみを使用して実施してもよい。
【産業上の利用可能性】  以上、詳述したように、本発明においては、例えば、
「正六角形の複数の第１パネル１０と、この第１パネル１０の各辺と同じ長さの辺を有する正五角形の複数の第２パネル２０とを組み合わせて、内部に居住空間を備えたサッカーボール型部屋構造物１００であって、
第１パネル１０の裏面にこれと同じ外形を有した第１取付枠１１を固定して、この第１取付枠１１の第１パネル側端面１１ａを、当該第１取付枠１１上の第１パネル１０上面に対して約６９°とするとともに、この第１取付枠１１の第２パネル側端面１１ｂを、当該第１取付枠１１上の第１パネル１０上面に対して約７２°とし、
第２パネル２０の裏面にこれと同じ外形を有した第２取付枠２１を固定して、この第２取付枠２１の各端面２１ａを、当該第２取付枠２０上の第２パネル２１上面に対して約７２°としたこと」
にその構成上の特徴があり、これにより、運搬や建設が簡単に行えて、自然に親しむための居住空間を形成することができ、嵐の吹き抜ける場合や水上等の自然環境でも使用することができるサッカーボール型部屋構造物１００を、簡単な構成によって提供することができるのである。
また、本発明に係るサッカーボール型部屋構造物１００によれば、人を守りながら自然に親しむことができ、しかも運搬や建設にそれ程手間の掛からない居住空間を形成することができ、このようなサッカーボール型部屋構造物１００を製造し販売することは、産業上の利用可能性は大である。
【図１】
2005026461.tif 000003
【図２】
2005026461.tif 000004
【図３】
2005026461.tif 000005
【図４】
2005026461.tif 000006
【図５】
2005026461.tif 000007
【図６】
2005026461.tif 000008
【図７】
2005026461.tif 000009
【図８】
2005026461.tif 000010
【図９】
2005026461.tif 000011
【図１０】
2005026461.tif 000012
【図１１】
2005026461.tif 000013
【国際調査報告】
2005026461.tif 000014
2005026461.tif 000015